(57)【要約】      （修正有）【課題】傾斜屋根の軒先に軒天井を施工する際の手間を低減する軒先構造を提供する。【解決手段】軒先構造１００が備える複数の被架設部材のうち一の被架設部材５は、その他の被架設部材３に向かって突出する被架設部材側突出部５１ａを有している。また、軒先構造１００が備える軒天井材用下地材６は、一の被架設部材５とその他の被架設部材３との間に配置されるとともに、下面に軒天井材７が設けられる下地材本体６１と、下地材本体６１のうち一の被架設部材５側の端部の上面に設けられるとともに被架設部材側突出部５１ａに向かって突出し、被架設部材側突出部５１ａの上面に載せられる下地材側突出部６２と、を有している。下地材本体６１のうちその他の被架設部材３側の端部がその他の被架設部材３に固定され、下地材側突出部６２が一の被架設部材５に固定されている。【選択図】図１
0003196469.tif 000002
【実用新案登録請求の範囲】
【請求項１】
軒先部の下方に設けられた軒天井材用下地材と、
当該軒天井材用下地材の下面に設けられた軒天井材と、
前記軒先部において上下方向に延在するようにして設けられるとともに、側面視において互いに対向する位置に配置されて、前記軒天井材用下地材が架設された複数の被架設部材と、を備える軒先構造において、
前記複数の被架設部材のうち一の被架設部材は、その他の被架設部材に向かって突出する被架設部材側突出部を有し、
前記軒天井材用下地材は、
前記一の被架設部材と前記その他の被架設部材との間に配置されるとともに、下面に前記軒天井材が設けられる下地材本体と、
前記下地材本体のうち前記一の被架設部材側の端部の上面に設けられるとともに前記被架設部材側突出部に向かって突出し、前記被架設部材側突出部の上面に載せられる下地材側突出部と、を有し、
前記下地材本体のうち前記その他の被架設部材側の端部が前記その他の被架設部材に固定され、前記下地材側突出部が前記一の被架設部材に固定されていることを特徴とする軒先構造。
【請求項２】
請求項１に記載の軒先構造において、
前記下地材本体は、
前記その他の被架設部材に固定される長尺な第一野縁と、
前記第一野縁の延設方向に間隔を空けて配置され、かつ、前記第一野縁から前記一の被架設部材に向かって延びるように設けられた複数の第二野縁と、
前記第二野縁の前記一の被架設部材側の端部と、隣り合う前記第二野縁の前記一の被架設部材側の端部とに跨って設けられた棒状部材と、によって、矩形枠状に形成されていることを特徴とする軒先構造。
【請求項３】
請求項２に記載の軒先構造において、
前記下地材本体は、前記第一野縁と前記棒状部材との間に、前記第１野縁の延設方向と平行に延びるように設けられ、前記第二野縁に固定された第二棒状部材を備え、
前記第二野縁または前記第二棒状部材の何処かの部位が、吊木の下端部に固定されていることを特徴とする軒先構造。
【請求項４】
請求項２または３に記載の軒先構造において、
前記下地材本体は、前記第一野縁における前記その他の被架設部材と対向する面に、前記第一野縁の延設方向に間隔を空けて設けられた複数の突出片を有し、
前記第一野縁は、前記突出片を介して前記その他の被架設部材に固定されていることを特徴とする軒先構造。
【請求項５】
請求項４に記載の軒先構造において、
前記突出片は、
前記第一野縁における前記その他の被架設部材と対向する面の、前記第二野縁の延長線上に位置するように設けられ、
前記第一野縁の延設方向の長さが、前記第二野縁の同方向の幅よりも長くなっていることを特徴とする軒先構造。
【請求項６】
請求項４または５の軒先構造において、
前記複数の突出片のうち最も端に設けられたものは、前記第一野縁の先端よりも先に延設されていないことを特徴とする軒先構造。
【請求項７】
請求項２に記載の軒先構造において、
前記被架設部材側突出部は、鉛直方向に貫通するスリットを有していることを特徴とする軒先構造。
【請求項８】
請求項１に記載の軒先構造において、
前記一の被架設部材と前記その他の被架設部材の何れか一方は吊木であり、
他方は建物の外壁または鼻隠しであることを特徴とする軒先構造。
【考案の詳細な説明】
【技術分野】
【０００１】
本考案は、傾斜屋根の軒先構造に関する。
【背景技術】
【０００２】
傾斜屋根の軒先には、外観を損なわないようにすること等を目的として、鼻隠しや、軒天井が設けられることがある。
特許文献１に記載の軒天井は、一端が鼻隠しの下端部に固定され、他端が外壁に固定された枠状の軒天井材用下地材（すなわち、野縁）と、軒天井材用下地材の下面に取り付けられた軒天井材と、を含んで構成されている。
【先行技術文献】
【特許文献】
【０００３】
【特許文献１】特開２００９−１３８４９９号公報
【考案の概要】
【考案が解決しようとする課題】
【０００４】
ところで、特許文献１に記載のような軒天井材用下地材を軒先に設ける際、例えば、まず先に一端を鼻隠しの下端部に固定する場合には、他端を支えておく必要があった。また、他端を先に外壁に固定する場合も同様に、一端を支えておく必要があった。すなわち、従来の軒天井の施工は手間がかかるものであった。
【０００５】
本考案は、上記課題に鑑みてなされたもので、傾斜屋根の軒先に軒天井を施工する際の手間を低減することを目的とする。
【課題を解決するための手段】
【０００６】
上記課題を解決するため、請求項１に記載の考案は、例えば図１〜８に示すように、軒先部の下方に設けられた軒天井材用下地材６（６Ａ）と、当該軒天井材用下地材６（６Ａ）の下面に設けられた軒天井材７（・７Ｂ）と、前記軒先部において上下方向に延在するようにして設けられるとともに、側面視において互いに対向する位置に配置されて、前記軒天井材用下地材６（６Ａ）が架設された複数の被架設部材と、を備える軒先構造１００（１００Ａ・１００Ｂ）において、前記複数の被架設部材のうち一の被架設部材５（３Ａ・８）は、その他の被架設部材３（５Ａ・３，５Ａ）に向かって突出する被架設部材側突出部５１ａ（３ａ・８ａ，８ｂ）を有し、前記軒天井材用下地材６（６Ａ）は、前記一の被架設部材５（３Ａ・８）と前記その他の被架設部材３（５Ａ・３，５Ａ）との間に配置されるとともに、下面に前記軒天井材７が設けられる下地材本体６１（６１Ａ）と、前記下地材本体６１（６１Ａ）のうち前記一の被架設部材５（３Ａ・８）側の端部の上面に設けられるとともに前記被架設部材側突出部５１ａ（３ａ・８ａ，８ｂ）に向かって突出し、前記被架設部材側突出部５１ａ（３ａ・８ａ，８ｂ）の上面に載せられる下地材側突出部６２（６２Ａ）と、を有し、前記下地材本体６１（６１Ａ）のうち前記その他の被架設部材３（５Ａ・３，５Ａ）側の端部が前記その他の被架設部材３（５Ａ・３，５Ａ）に固定され、前記下地材側突出部６２（６２Ａ）が前記一の被架設部材５（３Ａ・８）に固定されていることを特徴とする。
【０００７】
請求項１に記載の考案によれば、軒天井材用下地材６（６Ａ）を取り付ける際、複数の下地材側突出部６２（６２Ａ）を被架設部材側突出部５１ａ（３ａ・８ａ，８ｂ）に載せる（掛ける）だけで、軒天井材用下地材６（６Ａ）の一の被架設部材５（３Ａ・８）側の端部が支えられるので、施工する者は、その他の被架設部材３（５Ａ・３，５Ａ）側の端部だけを支えればよくなる。また、複数の下地材側突出部６２（６２Ａ）を被架設部材側突出部５１ａ（３ａ・８ａ，８ｂ）に載せる（掛ける）だけで、軒天井材用下地材６（６Ａ）の一の被架設部材５（３Ａ・８）側の端部の取り付け位置が容易に決まることになる。よって、従来よりも軒天井１０（１０Ａ・１０Ｂ）の施工を容易に行うことができる。
【０００８】
請求項２に記載の考案は、請求項１に記載の軒先構造１００（１００Ａ・１００Ｂ）において、例えば図２，４，６，７に示すように、前記下地材本体６１（６１Ａ）は、前記その他の被架設部材３（５Ａ・３，５Ａ）に固定される長尺な第一野縁６１１と、前記第一野縁６１１の延設方向に間隔を空けて配置され、かつ、前記第一野縁６１１から前記一の被架設部材５（３Ａ・８）に向かって延びるように設けられた複数の第二野縁６１２と、前記第二野縁６１２の前記一の被架設部材５（３Ａ・８）側の端部と、隣り合う前記第二野縁６１２の前記一の被架設部材５（３Ａ・８）側の端部とに跨って設けられた棒状部材６１４（６１５）と、によって、矩形枠状に形成されていることを特徴とする。
【０００９】
請求項２に記載の考案によれば、下地材本体６１（６１Ａ）をパネル状に形成する場合等に比べて軽量化することができるし、軒天井材用下地材６（６Ａ）を取り付けた後も、隣り合う第二野縁６１２の間から腕を入れて軒先内側の施工を行うことができる。
【００１０】
請求項３に記載の考案は、請求項２に記載の軒先構造において、例えば図９，１０に示すように、前記下地材本体６１Ｃは、前記第一野縁６１１と前記棒状部材６１５との間に、前記第１野縁６１１の延設方向と平行に延びるように設けられ、前記第二野縁６１２に固定された第二棒状部材６１６を備え、前記第二野縁６１２または前記第二棒状部材６１６の何処かの部位が、吊木８の下端部に固定されていることを特徴とする。
【００１１】
請求項３に記載の考案によれば、軒の出が大きく、軒天井１０Ｃを、吊木８と外壁３或いは鼻隠し５Ａとを結ぶ方向に大きくしなければならない場合であっても、軒天井材用下地材６Ｃの中間部が吊木８で支持されるので、軒天井１０Ｃが撓むのを防ぐことができる。
【００１２】
請求項４に記載の考案は、請求項２または３に記載の軒先構造１００（・１００Ｂ）において、例えば図１，４，８に示すように、前記下地材本体６１は、前記第一野縁６１１における前記その他の被架設部材３と対向する面に、前記第一野縁６１１の延設方向に間隔を空けて設けられた複数の突出片６１３を有し、前記第一野縁６１１は、前記突出片６１３を介して前記その他の被架設部材３に固定されていることを特徴とする。
【００１３】
請求項４に記載の考案によれば、下地材本体６１がその他の被架設部材３に固定されると、突出片６１３によって、第一野縁６１１とその他の被架設部材３との間に隙間が形成されるので、この隙間を塞がないように軒天井材７（・７Ｂ）を取り付けるだけで、軒先の外側から内部へと通じる通気用のスリットＳを簡単に形成することができる。
【００１４】
請求項５に記載の考案は、請求項４に記載の軒先構造１００（・１００Ｂ）において、例えば図２，３に示すように、前記突出片６１３は、前記第一野縁６１１における前記その他の被架設部材３と対向する面の、前記第二野縁６１２の延長線上に位置するように設けられ、前記第一野縁６１１の延設方向の長さが、前記第二野縁６１２の同方向の幅よりも長くなっていることを特徴とする。
【００１５】
請求項５に記載の考案によれば、突出片６１３には、必ず第二野縁６１２よりも第一野縁６１１の延設方向にはみ出す部位ができることになるので、第一野縁６１１から、そのはみ出した部位を介して外壁３に釘やビス等の固定具を打つことにより下地材本体６１のその他の被架設部材３側の端部をその他の被架設部材３に固定することができる。このため、突出片６１３により下地材本体６１とその他の被架設部材３との間に隙間ができる構造となっていても、軒天井材用下地材６をその他の被架設部材３に強固に固定することができる。
【００１６】
請求項６に記載の考案は、請求項４または５の軒先構造１００（・１００Ｂ）において、例えば図２〜４に示すように、前記複数の突出片６１３のうち最も端に設けられたものは、前記第一野縁６１１の先端よりも先に延設されていないことを特徴とする。
【００１７】
請求項６に記載の考案によれば、軒下に軒天井材用下地材６を複数取り付ける際、隣り合う軒天井材用下地材６の各突出片６１３が互いに干渉することが無いので、軒天井材用下地材６同士を隙間なく繋げることができる。
【００１８】
請求項７に記載の考案は、請求項２に記載の軒先構造１００Ａにおいて、例えば図５に示すように、前記被架設部材側突出部３ａは、鉛直方向に貫通するスリットを有していることを特徴とする。
【００１９】
請求項７に記載の考案によれば、被架設部材側突出部３ａに、下地材側突出部６２Ａを、スリットを塞がないように固定し、更に、軒天井材７を、スリットを塞がないように取り付けるだけで、軒先の外側から内部へと通じる通気用のスリットＳを簡単に形成することができる。
【００２０】
請求項８に記載の考案は、請求項１に記載の軒先構造１００Ｂにおいて、例えば図８に示すように、前記一の被架設部材と前記その他の被架設部材の何れか一方は吊木８であり、他方は建物の外壁または鼻隠しであることを特徴とする。
【００２１】
請求項８に記載の考案によれば、軒の出が大きく、軒天井１０Ｂを、一の被架設部材８とその他の被架設部材３，５Ａとを結ぶ方向に大きくしなければならない場合であっても、軒天井材用下地材を、例えば、吊木８と外壁３の間に設ける軒天井材用下地材６と、吊木８と鼻隠し５Ａとの間に設ける軒天井材用下地材６Ａといったように、一の被架設部材８とその他の被架設部材３，５Ａとを結ぶ方向に分割して施工することができるので、施工が困難になるのを防ぐことができる。
【考案の効果】
【００２２】
本考案によれば、傾斜屋根の軒先に軒天井を施工する際の手間を低減することができる。
【図面の簡単な説明】
【００２３】
【図１】本考案の第１実施形態に係る軒先構造を示した縦断面図である。
【図２】図１の軒先構造を構成する軒天井材用下地材の斜視図である。
【図３】図２の軒天井材用下地材の平面図である。
【図４】図２の軒天井材用下地材の軒先への配置例を示した平面図である。
【図５】本考案の第２実施形態に係る軒先構造を示した縦断面図である。
【図６】図５の軒先構造を構成する軒天井材用下地材の斜視図である。
【図７】図６の軒天井材用下地材の平面図である。
【図８】本考案の第３実施形態に係る軒先構造を示した縦断面図である。
【図９】本考案の第２実施形態の変形例に係る軒先構造を構成する軒天井材用下地材の平面図である。
【図１０】図９の軒天井材用下地材を用いた軒先構造を示した縦断面図である。
【考案を実施するための形態】
【００２４】
＜第１実施形態＞
以下、図１〜４を参照して、本考案の第１実施形態について詳細に説明する。図１は、第１実施形態に係る軒先構造１００を示した縦断面図である。
本実施形態の軒先構造１００は、柱１と、柱１の上端に取り付けられた軒桁２と、柱１および軒桁２の外側面に取り付けられた外壁３（すなわち、外壁材または外壁下地材）と、軒桁２の上端部に設けられた傾斜屋根４と、傾斜屋根４の傾斜方向下端部に設けられた鼻隠し５と、鼻隠し５の下端部と外壁３との間に設けられた軒天井１０と、を備えている。
なお、本実施形態においては、外壁構造を、柱１と、軒桁２と、外壁３を、を備えるものとしたが、これに限られるものではない。すなわち、建築用壁パネルからなる外壁であってもよいし、鉄骨造の躯体を備えた建物の外壁でもよく、特に限定されない。さらに換言すれば、屋外に面する外壁面を備えた形態の外壁構造であればよいものとする。
【００２５】
鼻隠し５は、鼻隠し用下地材５１と、鼻隠し用下地材５１の外側面に取り付けられた鼻隠し材５２と、を含んで構成されている。鼻隠し用下地材５１は、傾斜屋根４の下端から下方に向かって延設されており、その下端部における外壁３の方向を向く面には、外壁３に向かって突出する鼻隠し側突出部５１ａが設けられている。本実施形態では、角材を水平かつ外壁面と並行に延びるように取り付けることにより設けている。
軒天井１０は、軒天井材用下地材６と、当該軒天井材用下地材６の下面および鼻隠し用下地材５１の下面に取り付けられた軒天井材７と、を含んで構成されている。
軒天井材７は、矩形の板材であり、軒天井材用下地材６の下面と鼻隠し用下地材５１の下面のそれぞれに、外壁３から僅かに離間するように固定されている。
【００２６】
図２は上述した軒天井材用下地材６の斜視図であり、図３は図２の平面図である。
軒天井材用下地材６は、平面視矩形枠状に形成された下地材本体６１と、下地材本体６１の鼻隠し５側の端部上面に設けられた複数の下地材側突出部６２と、を含んで構成されている。
下地材本体６１は、長尺の角材からなる第一野縁６１１と、第一野縁６１１における鼻隠し５の方向を向く面に設けられた複数の第二野縁６１２と、第一野縁６１１の外壁３と対向する面に設けられた複数の突出片６１３と、複数の第二野縁６１２に跨って設けられた補強部材６１４と、を含んで構成されている。
【００２７】
第二野縁６１２は、第一野縁６１１の鼻隠し５の方向を向く面の両端部および中間部に、第一野縁６１１の延設方向に等間隔となるように、かつ、当該第一野縁６１１の延設方向と直交する方向に向かって延びるように取り付けられている。各第二野縁６１２は、図１に示したように、鉛直方向の厚さが鼻隠し側突出部５１ａの鉛直方向の厚さと同じになるように形成されている。
【００２８】
突出片６１３は、図２、図３に示したように、第一野縁６１１の延設方向の幅が、第二野縁６１２の同方向の幅よりも長い板材であり、第一野縁６１１の外壁３と対向する面の両端部および中間部に、第一野縁６１１の延設方向に沿って等間隔となるように取り付けられている。本実施形態においては、突出片６１３は、第二野縁６１２と同じ数だけ取り付けられており、各突出片６１３は、各第二野縁６１２の延設方向の延長線上にそれぞれ配置されている。突出片６１３の、第一野縁６１１の延設方向の幅は第二野縁６１２よりも長いため、本実施形態のように配置された突出片６１３には、対向する第二野縁６１２よりも側方へはみ出す部位が存在することになる。なお、両端の突出片６１３は、第一野縁６１１の両端面からはみ出さないように取り付けられている。
補強部材６１４は、合板によって帯状に形成された部材で、各第二野縁６１２の上面および各下地材側突出部６２の外壁３と対向する面に接するように取り付けられている。ここで、補強部材６１４は、本発明における棒状部材として機能している。
【００２９】
下地材側突出部６２は、各第二野縁６１２の鼻隠し５側の端部上面に、鼻隠し５に向かって延びるように設けられている。本実施形態では、短尺の角材を、第二野縁６１２の鼻隠し５側の端部上面に、その先端が、第二野縁６１２の鼻隠し５と対向する面よりも鼻隠し５側に位置するように接合することにより設けている。これにより、軒天井材用下地材６の鼻隠し５側の端部には、階段を上下逆さまにしたような部位が複数形成されることになる。
【００３０】
このように構成された本実施形態の軒天井材用下地材６は、下地材側突出部６２が鼻隠し側突出部５１ａに載せられた状態で鼻隠し５に固定されるとともに、第一野縁６１１が突出片６１３を介して外壁３（或いは外壁３を介して柱１）に固定される。すなわち、鼻隠し側突出部５１ａは、本発明における被架設部材側突出部として機能しており、本実施形態においては、鼻隠し５が本発明における一の被架設部材、外壁３が本発明におけるその他の被架設部材ということになる。
【００３１】
上述したように、第二野縁６１２の鉛直方向の厚さは鼻隠し側突出部５１ａの鉛直方向の厚さと同じになっているため、取り付け後の軒天井材用下地材６の下面と鼻隠し５の下面とは面一になる。これにより、軒天井材７を、軒天井材用下地材６だけでなく鼻隠し側突出部５１ａである角材および鼻隠し用下地材５１の下面にも固定することができる。また、こうすることで、鼻隠し側突出部５１ａを下地材側突出部６２と軒天井材７とで挟み込む構造となり、軒先の強度を高めることができる。また、第一野縁６１１と外壁３との間には、突出片６１３によって鉛直方向に貫通する隙間ができるが、上述したように、軒天井材７は、外壁３と離間するように取り付けられているので、外壁３と軒天井１０との間にはスリットＳ（図１参照）ができる。これは外気を屋根の中に取り込むための通気口として機能する。
【００３２】
本実施形態の軒先には、上述の軒天井材用下地材６が、図４に示すように、外壁３を取り囲むように複数取り付けられている。上述したように、複数の突出片６１３のうち第一野縁６１１の両端部に取り付けられたものは、図２、図３に示したように、第一野縁６１１の両端面からはみ出さないようになっているので、同一外壁面に沿って取り付けられた各軒天井材用下地材６は、図４に示したように、隙間なく、互いの第二野縁６１２が接するように繋げることができる。
【００３３】
以上のように、本実施形態の軒先構造１００においては、複数の被架設部材のうち鼻隠し５（一の被架設部材）は、外壁３（その他の被架設部材）に向かって突出する鼻隠し側突出部５１ａ（被架設部材側突出部）を有し、軒天井材用下地材６は、鼻隠し５と外壁３との間に配置されるとともに、下面に軒天井材７が設けられる下地材本体６１と、下地材本体６１のうち鼻隠し５側の端部の上面に設けられるとともに鼻隠し側突出部５１ａに向かって突出し、鼻隠し側突出部５１ａの上面に載せられる下地材側突出部６２と、を有し、下地材本体６１のうち外壁３側の端部が外壁３に固定され、下地材側突出部６２が鼻隠し５に固定されているものとした。
このようにすることで、軒天井材用下地材６を取り付ける際、複数の下地材側突出部６２を鼻隠し側突出部５１ａに載せる（掛ける）だけで、軒天井材用下地材６の鼻隠し５側の端部が支えられるので、施工する者は、外壁３側の端部だけを支えればよくなる。また、複数の下地材側突出部６２を鼻隠し側突出部５１ａに載せる（掛ける）だけで、軒天井材用下地材６の鼻隠し５側の端部の取り付け位置が容易に決まることになる。よって、従来よりも軒天井１０の施工を容易に行うことができる。
【００３４】
また、本実施形態の軒先構造１００においては、下地材本体６１は、外壁３に固定される長尺な第一野縁６１１と、第一野縁６１１の延設方向に間隔を空けて配置され、かつ、第一野縁６１１から鼻隠し５に向かって延びるように設けられた複数の第二野縁６１２と、第二野縁６１２の鼻隠し５側の端部と、隣り合う第二野縁６１２の鼻隠し５側の端部とに跨って設けられた棒状部材６１４と、によって、矩形枠状に形成されているものとした。
このようにすることで、下地材本体６１をパネル状に形成する場合等に比べて軽量化することができるし、軒天井材用下地材６を取り付けた後も、隣り合う第二野縁６１２の間から腕を入れて軒先内側の施工を行うことができる。
【００３５】
また、本実施形態の軒先構造１００においては、下地材本体６１は、第一野縁６１１における外壁３と対向する面に、第一野縁６１１の延設方向に間隔を空けて設けられた複数の突出片６１３を有し、第一野縁６１１は、突出片６１３を介して外壁３に固定されているものとした。
このようにすることで、下地材本体６１が外壁３に固定されると、突出片６１３によって、第一野縁６１１と外壁３との間に隙間が形成されるので、この隙間を塞がないように軒天井材７を取り付けるだけで、通気用のスリットＳを簡単に形成することができる。
【００３６】
また、本実施形態の軒先構造１００においては、突出片６１３は、第一野縁６１１における外壁３と対向する面の、第二野縁６１２の延長線上に位置するように設けられ、第一野縁６１１の延設方向の長さが、第二野縁６１２の同方向の幅よりも長くなっているものとした。
このようにすることで、突出片６１３には、必ず第二野縁６１２よりも第一野縁６１１の延設方向にはみ出す部位ができることになるので、第一野縁６１１から、そのはみ出した部位を介して外壁３に釘やビス等の固定具を打つことにより下地材本体６１の外壁３側の端部を外壁３に固定することができる。このため、突出片６１３により下地材本体６１と外壁３との間に隙間ができる構造となっていても、軒天井材用下地材６を外壁３に強固に固定することができる。
【００３７】
また、本実施形態の軒先構造１００においては、複数の突出片６１３のうち最も端に設けられたものは、第一野縁６１１の先端よりも先に延設されていないものとした。
このようにすることで、軒下に軒天井材用下地材６を複数取り付ける際、隣り合う軒天井材用下地材６の各突出片６１３が互いに干渉することが無いので、軒天井材用下地材６同士を隙間なく繋げることができる。
【００３８】
＜第２実施形態＞
次に、図５〜７を参照して、本考案の第２実施形態について詳細に説明する。図５は、第２実施形態に係る軒先構造１００Ａを示した縦断面図である。なお、ここでは、第１実施形態と相違する点のみ説明することとし、第１実施形態と共通する点についての説明は省略する。
【００３９】
本実施形態の軒先構造１００Ａは、外壁、鼻隠し、および軒天井材用下地材の構成が第１実施形態と異なっている。
【００４０】
本実施形態の外壁３Ａは、鼻隠し５Ａと対向する面に通気野縁３ａを有している。本実施形態では、長尺の角材からなる野縁本体３１と、野縁本体３１の外壁材と対向する面に設けられた複数の突出片３２とで構成された、丁度、第１実施形態の第一野縁６１１と突出片６１３のみで構成したような部材を、野縁本体３１が外壁材に沿って水平に延びるように、かつ、突出片３２が外壁材と接するように取り付けることにより設けている。これにより、外壁材と野縁本体３１との間には鉛直方向に貫通する隙間が形成されている。
本実施形態の鼻隠し５Ａは、鼻隠し用下地材５１Ａに、第１実施形態の鼻隠し側突出部に相当する部位が設けられていない。
【００４１】
図６は上述した軒天井材用下地材６Ａの斜視図であり、図６は図５の平面図である。
本実施形態の軒天井材用下地材６Ａは、下地材本体６１Ａと、複数の下地材側突出部６２Ａの各構成が第１実施形態と異なっている。
本実施形態の下地材本体６１Ａは、第一野縁６１１、第二野縁６１２の他に、各第二野縁６１２の鼻隠し５Ａ側の端面に、第一野縁６１１と並行に延びるように設けられた第三野縁６１５を備え、平面視矩形枠状に形成されるとともに、第１実施形態の突出片、補強部材に相当する部材を備えていない。第三野縁６１５は、図５に示したように、鉛直方向の厚さが通気野縁３ａの鉛直方向の厚さと同じになるように形成されている。ここで、補強部材６１４は、本発明における棒状部材として機能している。
【００４２】
本実施形態の下地材側突出部６２Ａは、第三野縁６１５の上面の端部および中間部に、第三野縁６１５の延設方向に等間隔となるように、かつ、外壁３Ａに向かって延びるように設けられている。本実施形態では、短尺の角材を、第三野縁６１５の上面における各第二野縁６１２の延長線上に、その先端が、第三野縁６１５の外壁３Ａと対向する面よりも外壁３Ａ側に位置するように接合することにより設けている。これにより、軒天井材用下地材６の外壁３Ａ側の端部には、階段を上下逆さまにしたような部位が複数形成されることになる。
【００４３】
このように構成された本実施形態の軒天井材用下地材６Ａは、下地材側突出部６２Ａが通気野縁３ａに載せられた状態で外壁３Ａに固定されるとともに、第三野縁６１５が鼻隠し用下地材５１に固定される。すなわち、通気野縁３ａは、本発明における被架設部材側突出部として機能しており、本実施形態においては、外壁３Ａが本発明における一の被架設部材、鼻隠し５Ａが本発明におけるその他の被架設部材ということになる。
【００４４】
上述したように、第一野縁６１１の鉛直方向の厚さは通気野縁３ａの鉛直方向の厚さと同じになっているため、取り付け後の軒天井材用下地材６Ａの下面と通気野縁３ａの下面とは面一になる。これにより、軒天井材７を、軒天井材用下地材６だけでなく通気野縁３ａである角材にも固定することができる。こうすることで、通気野縁３ａを下地材側突出部６２Ａと軒天井材７とで挟み込む構造となり、軒先の強度を高めることができる。また、軒天井材７は、外壁３と離間するように取り付けられているので、外壁材と軒天井１０Ａとの間には、第１実施形態と同様のスリットＳ（図５参照）ができる。
【００４５】
以上のように、本実施形態の軒先構造１００においては、通気野縁３ａ（被架設部材側突出部）は、鉛直方向に貫通するスリットを有しているものとした。
このようにすることで、通気野縁３ａに、下地材側突出部６２Ａを、スリットを塞がないように固定し、更に、軒天井材７を、スリットを塞がないように取り付けるだけで、軒先の外側から内部へと通じる通気用のスリットＳを簡単に形成することができる。
【００４６】
＜第３実施形態＞
次に、図８を参照して、本考案の第３実施形態について詳細に説明する。図８は、第３実施形態に係る軒先構造１００Ｂを示した縦断面図である。なお、ここでも、第１実施形態と相違する点のみ説明することとし、第１実施形態と共通する点についての説明は省略する。
【００４７】
本実施形態の軒先構造１００Ｂは、鼻隠しのおよび軒天井の構成、および傾斜屋根から吊り下げられた複数の吊木８を備える点が第１実施形態と異なっている。
【００４８】
本実施形態の鼻隠し５Ａは、第２実施形態と同様の構成となっており、鼻隠し用下地材５１Ａに、第１実施形態の鼻隠し側突出部に相当する部位が設けられていない。
吊木８は、傾斜屋根４の軒先部分の中央部から鉛直下方に向かって延びるように設けられた部材である。各吊木８は、外壁面に沿って所定間隔を空けて設けられている。各吊木８は、下端部に、外壁３側に向かって突出する第一吊木側突出部８ａと、鼻隠し５Ａ側に向かって突出する第二吊木側突出部８ｂと、を有している。
【００４９】
本実施形態の軒天井１０Ｂは、吊木８と外壁３との間に設けられた第一軒天井材用下地材６と、吊木８と鼻隠し５Ａとの間に設けられた第二軒天井材用下地材６Ａと、第一軒天井材用下地材６の下面、第二軒天井材用下地材６Ａの下面、吊木８の下面および鼻隠し用下地材５１の下面に取り付けられた軒天井材７Ｂと、を含んで構成されている。
【００５０】
第一軒天井材用下地材６は、第１実施形態で用いた軒天井材用下地材６と同様の構成となっており、第二軒天井材用下地材６Ａは、第２実施形態で用いた軒天井材用下地材６と同様の構成となっている。しかし、下地材本体と下地材側突出部を有する構成であればこれに限られるものではない。
【００５１】
第一軒天井材用下地材６は、下地材側突出部６２が第一吊木側突出部８ａに載せられた状態で吊木８に固定されるとともに、第一野縁６１１が突出片６１３を介して外壁３（或いは外壁３を介して柱１）に固定される。また、第二軒天井材用下地材６Ａは、下地材側突出部６２Ａが第二吊木側突出部８ｂに載せられた状態で吊木８に固定されるとともに、第三野縁６１５が鼻隠し５Ａに固定される。すなわち、第一，第二吊木側突出部８ａ，８ｂは、何れも本発明における被架設部材側突出部として機能しており、本実施形態においては、吊木８が本発明における一の被架設部材、外壁３および鼻隠し５Ａが本発明におけるその他の被架設部材ということになる。
【００５２】
以上のように、本実施形態の軒先構造１００Ｂにおいては、一の被架設部材と前記その他の被架設部材の何れか一方は吊木８であり、他方は建物の外壁３または鼻隠し５Ａであるものとした。
このようにすることで、軒の出が大きく、軒天井１０Ｂを、吊木８と外壁３或いは鼻隠し５Ａとを結ぶ方向に大きくしなければならない場合であっても、軒天井材用下地材を、例えば、吊木８と外壁３の間に設ける第一軒天井材用下地材６と、吊木８と鼻隠し５Ａとの間に設ける第二軒天井材用下地材６Ａといったように、吊木８と外壁３或いは鼻隠し５Ａとを結ぶ方向に分割して施工することができるので、施工が困難になるのを防ぐことができる。
【００５３】
（変形例）
以上、本考案を３つの実施形態に基づいて具体的に説明してきたが、本考案は上記実施形態に限定されるものではなく、その要旨を逸脱しない範囲で変更可能である。
例えば、上記第２実施形態では、第一野縁６１１と第三野縁６１５との間に第二野縁のみが設けられた軒天井材用下地材６Ａを用いたが、例えば、図９に示すように、第一野縁６１１と第三野縁６１５との間に、第一野縁６１１と並行に延設され、両端が隣り合う第二野縁６１２のそれぞれに固定された複数の第四野縁６１６（第二棒状部材）を備えた軒天井材用下地材６Ｃを用い、図１０に示すように、傾斜屋根４の軒先部分の中央部から鉛直下方に向かって延びるように複数の吊木８を設け、吊木８の下端部を、第二野縁６１２と第四野縁６１６の結合部付近に固定するようにしてもよい。このような軒先構造１００Ｃとすれば、軒の出が大きく、軒天井１０Ｃを、吊木８と外壁３或いは鼻隠し５Ａとを結ぶ方向に大きくしなければならない場合であっても、軒天井材用下地材６Ｃの中間部が吊木８で支持されるので、軒天井１０Ｃが撓むのを防ぐことができる。
【００５４】
なお、図９には、第四野縁６１６を第一野縁６１１と第三野縁６１５とから略等距離となる位置に設けたものを示したが、第一野縁６１１と第三野縁６１５との間であれば任意の位置に設けることが可能である。また、ここでは、複数の第四野縁６１６を備えることとしたが、１本の第四野縁６１６を複数の第二野縁６１２に跨るように設けてもよい。また、下地材本体６１Ｃにおける吊木８下端部の固定箇所は、第二野縁６１２と第四野縁６１６の結合部付近に限られるものではなく、第二野縁６１２の中間部や第四野縁６１６の中間部等、下地材本体６１Ｃにおける第一野縁６１１と第三野縁６１５の間の何処かの部位であればよい。更に、第１実施形態の軒天井材用下地材６に第四野縁６１６を設けることで、本変形例と同様に構成することも可能である。
【００５５】
また、上記第１，２実施形態では、下地材側突出部６２，６２Ａを、全ての第二野縁６１２の延長線上に設けたが、一部の第二野縁６１２の延長線上にだけ設けるようにしてもよいし、延長線上から外れる箇所に設けてもよい。
また、上記第１実施形態では、突出片６１３を第二野縁６１２の延長線上に設けたが、一部の第二野縁６１２の延長線上にだけ設けるようにしてもよいし、延長線上から外れる箇所に設けてもよい。
また、上記第１実施形態では、補強部材６１４として合板からなる帯状の部材を用いたが、角材を用いてもよい。
【００５６】
また、上記第１実施形態では、第一野縁６１１と突出片６１３を別々の部材とし、上記第２実施形態では、野縁本体３１と突出片３２を別々の部材としたが、角材から削り出すことにより一体になったものを用いてもよい。
また、上記第１実施形態では、鼻隠し５に鼻隠し側突出部５１ａ，上記第２実施形態では、外壁３Ａに通気野縁３ａといったように、何れか一方に突出部を設けたが、これらの両方に突出部を設け、軒天井材用下地材に下地材側突出部を設けないようにしてもよい。
また、上記第１〜３実施形態では、鼻隠し５として、鼻隠し用下地材５１と鼻隠し材５２とからなるものを用いたが、鼻隠し材のみからなるものを用いてもよい。
【００５７】
また、上記第３実施形態では、吊木８の外壁側および鼻隠し側に第一，二吊木側突出部８ａ，８ｂを設け、外壁３および鼻隠し５Ａには突出部を設けない構成としたが、吊木８に第一吊木側突出部のみを設けるとともに、鼻隠し５に鼻隠し側突出部を設けたり、吊木８に第二吊木側突出部８ｂのみを設けるとともに、外壁に通気野縁３Ａを設けたり、吊木８に突出部を設けず、鼻隠しに鼻隠し側突出部を設けるとともに、外壁に通気野縁を設けるようにしてもよい。
また、図２，３には、軒天井材用下地材６として、第二野縁６１２、下地材側突出部６２が各３本および各５本のものを示したが、各２本、各４本、或いは各６本以上としてもよい。
【符号の説明】
【００５８】
１００，１００Ａ，１００Ｂ，１００Ｃ  軒先構造
１  柱
２  軒桁
３  外壁（その他の被架設部材）
３Ａ  外壁（一の被架設部材）
３ａ  通気野縁（被架設部材側突出部）
３１  野縁本体
３２  突出片
４  傾斜屋根
５  鼻隠し（一の被架設部材）
５Ａ  鼻隠し（その他の被架設部材）
５１  鼻隠し材用下地材
５１ａ  鼻隠し側突出部（被架設部材側突出部）
５２  鼻隠し材
１０，１０Ａ，１０Ｂ，１０Ｃ  軒天井
６，６Ａ，６Ｃ  軒天井材用下地材
６１，６１Ａ，６１Ｃ  下地材本体
６１１  第一野縁
６１２  第二野縁
６１３  突出片
６１４  補強部材（棒状部材）
６１５  第三野縁（棒状部材）
６１６  第四野縁（第二棒状部材）
６２，６２Ａ  下地材側突出部
７，７Ｂ  軒天井材
８  吊木（一の被架設部材）
８ａ  第一吊木側突出部（被架設部材側突出部）
８ｂ  第二吊木側突出部（被架設部材側突出部）
【図１】
0003196469.tif 000003
【図２】
0003196469.tif 000004
【図３】
0003196469.tif 000005
【図４】
0003196469.tif 000006
【図５】
0003196469.tif 000007
【図６】
0003196469.tif 000008
【図７】
0003196469.tif 000009
【図８】
0003196469.tif 000010
【図９】
0003196469.tif 000011
【図１０】
0003196469.tif 000012